(57)【特許請求の範囲】
【請求項１】
車両の室内に設けられた意匠の発光構造であって、
前記室内の天井部から所定の照射範囲に向けて紫外線を照射する紫外線光源と、
前記照射範囲内に互いに離れて設けられた、前記紫外線を照射されることによって発光するように形成された発光意匠を有する、複数の意匠部と、を備え、
前記紫外線光源が、前記車内の天井部に設けられたマップランプ装置であり、
前記複数の意匠部が、前記照射範囲内にあるインスツルメントパネル、ドア内装パネル及びセンターコンソールのそれぞれに分散して配置されている
ことを特徴とする車両室内意匠の発光構造。
【請求項２】
前記紫外線光源が、紫外線照射部と、前記紫外線照射部からの紫外線を前記インスツルメントパネル、前記ドア内装パネル及び前記センターコンソールにスポット照射する導光部と、を有していることを特徴とする請求項１に記載の車両室内意匠の発光構造。
【請求項３】
前記紫外線光源が、紫外線の照射強度を調節する調光機能を備えていることを特徴とする請求項１又は２に記載の車両室内意匠の発光構造。
【発明の詳細な説明】
【技術分野】
【０００１】
本発明は、自動車などの車両の室内に設けられた意匠である車両室内意匠の発光構造に関するものである。
【背景技術】
【０００２】
一般的に、車両のインスツルメントパネルに設けられる速度メータ等のメータ装置は、数値や目盛の形状をした透光性意匠としての指標が設けられた文字板と、この文字板を背面から照らす光源と、を備えている。このようなメータ装置では、車両の前照灯又は車幅灯の点灯に連動して、光源から文字板に向けて光が照射され、この光が文字板の透光性意匠を透過して、該透光性意匠を発光させていた。
【０００３】
また、インスツルメントパネルには、上記メータ装置以外にも、カーナビゲーション装置やオーディオ装置、エアコン操作部などの各種車載装置が設けられており、これら各種車載装置などにおいても、上記メータ装置と同様に透光性意匠及び光源を設けて、透光性意匠を発光させていた。
【０００４】
また、メータ装置については、上記以外にも、例えば、特許文献１に示されるように、蛍光体によって形成された数値や目盛の形状をした蛍光意匠としての指標が前面に設けられた文字板（表示部）と、文字板の前面に紫外線を照射する光源（紫外線ＬＥＤ）と、を備えて、該光源が照射する紫外線によって文字板の指標を発光させるメータ装置、なども用いられていた。
【０００５】
このように、インスツルメントパネルに設けられるメータ装置及び各種車載装置は、それらが備える意匠を発光させることにより、夜間などにおける意匠の視認性や美観を向上させていた。
【先行技術文献】
【特許文献】
【０００６】
【特許文献１】特開２００５−１７０３９号公報
【発明の概要】
【発明が解決しようとする課題】
【０００７】
しかしながら、上述したメータ装置及び各種車載装置は、互いに離れて（独立して）配置されているので、それぞれに設けられた意匠を発光させるために、それぞれが個別に光源を備える必要があり、そのため、多くの光源を必要として、部品数が増加するとともに配線が複雑になって、製造コストが増加してしまうという問題があった。また、車両の室内における各種装置の操作性や美観を向上させるために、例えば、車両ドアの内装パネルに設けられたパワーウィンドウスイッチ部の操作スイッチに発光する機能表示意匠を施したり、運転席と助手席との間に設けられたセンターコンソールに発光する装飾意匠を施したりするなどの、発光する意匠を追加する設計変更を行う場合には、さらに多くの光源を必要として、部品数がさらに増加するとともに配線などの設計がより複雑になって、そのため、発光する意匠を追加することが困難であった。
【０００８】
本発明は、上記課題に係る問題を解決することを目的としている。即ち、本発明は、光源を少なくできるともに、発光する意匠を容易に追加できる車両室内意匠の発光構造を提供することを目的としている。
【課題を解決するための手段】
【０００９】
請求項１に記載された発明は、上記目的を達成するために、車両の室内に設けられた意匠の発光構造であって、前記室内の天井部から所定の照射範囲に向けて紫外線を照射する紫外線光源と、前記照射範囲内に互いに離れて設けられた、前記紫外線を照射されることによって発光するように形成された発光意匠を有する、複数の意匠部と、を備え、前記紫外線光源が、前記車内の天井部に設けられたマップランプ装置であり、前記複数の意匠部が、前記照射範囲内にあるインスツルメントパネル、ドア内装パネル及びセンターコンソールのそれぞれに分散して配置されていることを特徴とする車両室内意匠の発光構造である。
請求項２に記載された発明は、請求項１に記載された発明において、前記紫外線光源が、紫外線照射部と、前記紫外線照射部からの紫外線を前記インスツルメントパネル、前記ドア内装パネル及び前記センターコンソールにスポット照射する導光部と、を有していることを特徴とするものである。
【００１０】
請求項３に記載された発明は、請求項１又は２に記載された発明において、前記紫外線光源が、紫外線の照射強度を調節する調光機能を備えていることを特徴とするものである。
【発明の効果】
【００１１】
請求項１に記載された発明によれば、車両の室内の天井部から所定の照射範囲に向けて紫外線を照射する紫外線光源と、前記照射範囲内に互いに離れて設けられた、前記紫外線を照射されることによって発光するように形成された発光意匠を有する、複数の意匠部と、を備えているので、紫外線光源が所定の照射範囲に向けて紫外線を照射すると、該照射範囲内に設けられた複数の意匠部の発光意匠が該紫外線で照らされて発光し、そのため、複数の意匠部ごとに光源を設けることなく、複数の意匠部の発光意匠を１つの紫外線光源によって発光させることができ、光源を少なくすることができる。また、紫外線光源の照射範囲内に上記意匠部を追加して設けることで、追加した意匠部が有する発光意匠を発光させることができるので、発光する意匠を容易に追加できる。また、天井部からの紫外線照射範囲内、つまり、天井部から見通せる範囲に意匠部が設けられているので、障害物などによって意匠部に対する紫外線の照射が妨げられることを防ぐことができる。また、発光意匠が紫外線によって発光するので、乗員が眩しく感じるほどの高輝度で発光することが無く、そのため、乗員の不快感を防ぐことができる。また、天井部から紫外線を照射するので、乗員の目に対して直接紫外線が照射されることを防ぐことができる。
【００１２】
請求項３に記載された発明によれば、紫外線光源が、紫外線の照射強度を調節する調光機能を備えているので、車両室内に設けられた複数の意匠部の発光意匠に対して一括して輝度調節をすることができ、そのため、複数の意匠部毎に個別に発光意匠の輝度調節を行う必要が無くなり、輝度調節が容易にできる。
【図面の簡単な説明】
【００１３】
【図１】本発明に係る車両室内意匠の発光構造の一実施形態である自動車の内装の斜視図である。
【図２】図１に示すコンビネーションメータの正面図である。
【図３】図１に示すナビゲーション装置の正面図である。
【図４】図１に示すエアコン操作部の正面図である。
【図５】図１に示すパワーウィンドウスイッチ部の斜視図である。
【図６】図１に示すセンターコンソールの斜視図である。
【図７】図６のセンターコンソールに設けられた小物載置部の正面図（紫外線が照射された状態）である。
【図８】図１に示すマップランプ装置の正面図である。
【図９】図８のマップランプ装置によって紫外線が照射される照射範囲を模式的に示す図である。
【図１０】図８のマップランプ装置によって紫外線が照射される照射範囲の他の例を模式的に示す図である。
【図１１】小物載置部に設けられた装飾プレートのコンソール装飾意匠の発光状態の遷移を説明するための図である。
【図１２】図８のマップランプ装置の他の構成例を示す拡大正面図である。
【発明を実施するための形態】
【００１４】
以下、本発明に係る車両室内意匠の発光構造の一実施形態を示す自動車の内装を、図１〜図１２を参照して説明する。
【００１５】
図１に示すように、車両としての自動車１における室内２には、インスツルメントパネル（以下、「インパネ」という）３と、センターコンソール５と、が設けられている。また、運転席ドアＤには、その室内側の面にドア内装パネル４が設けられている。もちろん、他のドアにも同様にドア内装パネルが設けられている。また、天井部Ｃには、その室内側の面に天井内装パネル６が設けられている。
【００１６】
インパネ３は、自動車１の前方側に設けられたウインドシールドガラスＷの下方に配置されており、その運転席Ｓ１の正面部分にはコンビネーションメータ１０が設けられ、その運転席Ｓ１と助手席Ｓ２との間に位置する中央部分には、ナビゲーション装置２０とエアコン操作部３０とが設けられている。
【００１７】
コンビネーションメータ１０には、図２に示すように、メータ装置としての速度メータ１１、エンジン回転数メータ１２、水温メータ１３、及び、燃料メータ１４が設けられている。速度メータ１１は、文字板１１ａを備えており、この文字板１１ａの前面には、指針１１ｂによって指示されることにより、自動車１が備える図示しない速度センサによる計測値を表示するための数値及び目盛並びに前記数値の単位を示すメータ指標１１ｃが設けられている。また、エンジン回転数メータ１２、水温メータ１３、及び、燃料メータ１４についても、上述した速度メータ１１と同様に構成されており、それぞれが備える文字板１２ａ、１３ａ、１４ａには、メータ指標１２ｃ、１３ｃ、１４ｃが設けられている。
【００１８】
ナビゲーション装置２０は、公知であるように、自動車１の乗員に対して、現在自動車１が走行している付近の地図画像を表示し、その地図画像上に車両の現在位置及び車両の進行方向を表示する装置である。ナビゲーション装置２０は、その前面である表示操作部２１を室内２側に向けてインパネ３内に埋設されている。表示操作部２１には、図３に示すように、液晶ディスプレイ装置２２及び複数の操作スイッチ２３が設けられている。
【００１９】
液晶ディスプレイ装置２２には、上述した地図画像や車両の現在位置を示すマーク、機能選択メニュー等が表示される。複数の操作スイッチ２３は、図示例では、それぞれ押しボタンスイッチからなるナビゲーション装置２０の機能選択メニュー等を表示するメニューボタン、メニューの選択項目等の移動操作を行う移動ボタン、及び、液晶ディスプレイ装置２２に表示する画像等の入力ソース（例えば、地図画像、テレビ画像、ＤＶＤ画像など）を切り替える入力ソース切替ボタンと、ロータリースイッチからなる音量調節ツマミと、があり、それぞれが表示操作部２１の右側端部に縦方向に沿って一列に配設されている。これら複数の操作スイッチ２３には、スイッチの機能を示すナビゲーション機能表示意匠２３ａが設けられている。また、表示操作部２１の下側端部には、装置名称などを示すナビゲーション装飾意匠２１ａが設けられている。
【００２０】
エアコン操作部３０は、自動車１が備えるエアコン装置の操作を入力する部位であり、インパネ３の中央部分のナビゲーション装置２０の下方の位置に設けられている。エアコン操作部３０には、図４に示すように、押しボタンスイッチからなるエアコンＯＮ／ＯＦＦボタン３１及び室内空気循環切替ボタン３２と、ロータリースイッチからなる空気吹出口切替ツマミ３３、室温調節ツマミ３４、及び、風量調節ツマミ３５と、が設けられている。各ボタン３１、３２には、ボタンの機能を示すエアコン機能表示意匠３１ａ、３２ａが設けられている。また、各ツマミ３３、３４、３５の周囲には、各ツマミによって選択される機能や室温などを示すエアコン機能表示意匠３３ａ、３４ａ、３５ａが設けられている。
【００２１】
ドア内装パネル４には、自動車１の各ドアが備えるウィンドウガラスの開閉操作を入力するためのパワーウィンドウスイッチ部４０が設けられている。パワーウィンドウスイッチ部４０には、図５に示すように、シーソースイッチからなる、各ドアが備えるウィンドウガラスに対応する４つの開閉スイッチ４１〜４４と、運転席ドアＤ以外に設けられた他のパワーウィンドウスイッチ部への操作入力を無効にするロックスイッチ４５と、が設けられている。これら各スイッチ４１〜４５のそれぞれには、スイッチの機能を示すパワーウィンドウ機能表示意匠４１ａ〜４５ａが設けられている。
【００２２】
上述した、（１）コンビネーションメータ１０に設けられたメータ指標１１ｃ〜１４ｃ、（２）ナビゲーション装置２０に設けられたナビゲーション装飾意匠２１ａ及びナビゲーション機能表示意匠２３ａ、（３）エアコン操作部３０に設けられたエアコン機能表示意匠３１ａ〜３５ａ、並びに、（４）パワーウィンドウスイッチ部４０に設けられたパワーウィンドウ機能表示意匠４１ａ〜４５ａは、それぞれ暗色地の上に一般的に用いられる明色の通常インクで形成されているとともに、該通常インクに、紫外線を照射されることによって発光する蛍光インクが重ねて塗布されている。蛍光インクが可視光下で十分に視認可能であれば、蛍光インクのみで上記（１）〜（４）を形成しても良い。上記（１）〜（４）は、請求項中の発光意匠に相当する。また、コンビネーションメータ１０、ナビゲーション装置２０、エアコン操作部３０、及び、パワーウィンドウスイッチ部４０は、それぞれ請求項中の意匠部に相当する。
【００２３】
センターコンソール５は、その一端がインパネ３の中央部分に連接され、運転席Ｓ１と助手席Ｓ２との間を通り、これら座席の背もたれ近傍まで延設された略角筒状の部位である。センターコンソール５には、図６に示すように、インパネ３側から順に、自動車１が備える変速機を切り替えるためのシフトレバーＳと、小物などを置くための小物載置部５０と、が設けられている。
【００２４】
小物載置部５０は、センターコンソール５の上面を、四隅の角が丸められた長方形の皿状に窪ませて形成された部位である。小物載置部５０の底面５１には、帯状の装飾プレート５２が配設されている。装飾プレート５２には、図７に示すように、可視光下で視認不可能で且つ紫外線を照射されることによって視認可能に発光する蛍光インクを用いて形成されたコンソール装飾意匠５３が設けられている。このコンソール装飾意匠５３は、請求項中の発光意匠に相当し、小物載置部５０は、請求項中の意匠部に相当する。
【００２５】
天井内装パネル６の中央部には、マップランプ装置６０が設けられている。マップランプ装置６０には、図８に示すように、平面視略楕円形状のドーム形に形成された正面カバー６０ａが設けられている。正面カバー６０ａには、運転席側発光部６１と、運転席側発光スイッチ６２と、助手席側発光部６３と、助手席側発光スイッチ６４と、紫外線発光部６５と、輝度調節スイッチ６７、６８と、が設けられている。
【００２６】
運転席側発光部６１は、運転席Ｓ１に着座した乗員の手元を照らすように発光する部位であって、図示しないランプと該ランプを覆う半透明樹脂製のカバー６１ａとで構成されており、運転席側発光スイッチ６２を操作することによって点灯及び消灯される。また、助手席側発光部６３も、上記運転席側発光部６１と同様に、助手席Ｓ２に着座した乗員の手元を照らすように発光する部位であって、図示しないランプと該ランプを覆う半透明樹脂製のカバー６３ａとで構成されており、助手席側発光スイッチ６４を操作することによって点灯及び消灯される。運転席側発光部６１及び助手席側発光部６３は、正面カバー６０ａの前方（図８上方）側端部に設けられている。
【００２７】
紫外線発光部６５は、所定の波長の紫外線を照射する図示しない紫外線ＬＥＤと、該紫外線ＬＥＤを覆うとともに該紫外線ＬＥＤから照射される紫外線を透過する導光部６６と、を備えている。紫外線発光部６５は、正面カバー６０ａの中央部分から後方（図８下方）側端部に向けて延びる帯状に形成されている。この紫外線ＬＥＤが照射する紫外線は、上述した蛍光インクを発光させるものであればよく、例えば、３８０ｎｍ〜４００ｎｍ程度の波長の紫外線を照射するものを用いる。この紫外線ＬＥＤは、自動車１の前照灯又は車幅灯（以下、前照灯等という）の点灯に連動して、紫外線を照射する。なお、紫外線ＬＥＤに代えて、所定の波長の紫外線を照射するブラックライト管を備えていても良い。
【００２８】
導光部６６は、紫外線ＬＥＤが照射した紫外線が、運転席Ｓ１及び助手席Ｓ２の背もたれを境界として前後二分割した室内２の空間のうち、前方寄りの空間におけるインパネ３の上端３ａより下方の部分である、図９に斜線で示す所定の照射範囲Ｋに照射されるように、例えば、レンズ状に形成されていたり、紫外線が拡散するように表面に粗面化処理が施されていたりする。これにより、インパネ３、ドア内装パネル４、及び、センターコンソール５に紫外線が照射される。また、これに限らず、導光部６６は、インパネ３、ドア内装パネル４、及び、センターコンソール５のそれぞれの一部を含む、図１０に斜線で示す所定の照射範囲Ｋ１〜Ｋ３のそれぞれに対して、個別に紫外線が照射（スポット照射）されるように形成されていても良い。
【００２９】
輝度調節スイッチ６７、６８は、上記紫外線ＬＥＤが照射する紫外線の強度（即ち、輝度）を調節する押しボタンスイッチであり、正面カバー６０ａの中央部分に設けられている。輝度調節スイッチ６７は、押下される毎に紫外線の強度を高くする押しボタンスイッチであり、表面に「＋」が印字されている。輝度調節スイッチ６８は、押下される毎に紫外線の強度を低くする押しボタンスイッチであり、表面に「−」が印字されている。なお、マップランプ装置６０は、請求項中の紫外線光源に相当する。
【００３０】
次に、上述した自動車１の内装における本発明に係る作用について、図１１（ａ）〜（ｄ）に示す。
【００３１】
自動車１の前照灯等が消灯しているとき、図１１（ａ）に示すように、センターコンソール５の小物載置部５０に設けられた装飾プレート５２のコンソール装飾意匠５３は、視認されない。また、コンビネーションメータ１０、ナビゲーション装置２０、エアコン操作部３０、及び、パワーウィンドウスイッチ部４０のそれぞれが備える、（１）メータ指標１１ｃ〜１４ｃ、（２）ナビゲーション装飾意匠２１ａ及びナビゲーション機能表示意匠２３ａ、（３）ボタン機能表示意匠３１ａ、３２ａ、及び、ツマミ機能表示意匠３３ａ、３４ａ、３５ａ、並びに、（４）パワーウィンドウ機能表示意匠４１ａ〜４５ａ、は、可視光下で視認可能に表示されている。
【００３２】
そして、自動車１の前照灯等が点灯されると、マップランプ装置６０が備える紫外線ＬＥＤによって、所定の照射範囲Ｋに紫外線が照射される。このとき照射範囲Ｋ内に設けられている装飾プレート５２に紫外線が照射されて、そのコンソール装飾意匠５３が発光して、視認可能に浮かび上がる。また、装飾プレート５２と同様に照射範囲Ｋ内に設けられている、コンビネーションメータ１０、ナビゲーション装置２０、エアコン操作部３０、及び、パワーウィンドウスイッチ部４０についても、紫外線が照射されて、それぞれが備える、（１）メータ指標１１ｃ〜１４ｃ、（２）ナビゲーション装飾意匠２１ａ及びナビゲーション機能表示意匠２３ａ、（３）エアコン機能表示意匠３１ａ〜３５ａ、並びに、（４）パワーウィンドウ機能表示意匠４１ａ〜４５ａ、が発光する。
【００３３】
そして、マップランプ装置６０の輝度調節スイッチ６７（即ち、「＋」ボタン）が押下されると、紫外線の強度が高くなって、図１１（ｃ）に示すように、上記各意匠の輝度が一括して高くなる。または、輝度調節スイッチ６８（即ち、「−」ボタン）が押下されると、紫外線の強度が低くなって、図１１（ｄ）に示すように、上記各意匠の輝度が一括して低くなる。また、前照灯等が消灯されると、上記各意匠が発光しなくなり、当初の状態（図１１（ａ））に戻る。
【００３４】
また、マップランプ装置６０の照射範囲Ｋ内に、蛍光インクで形成された意匠（即ち、発光意匠）を有する車載装置や装飾部材などの他の意匠部を追加することで、該他の意匠部の意匠にも紫外線が照射されて発光させることができる。
【００３５】
以上より、本発明によれば、自動車１の室内２の天井内装パネル６から所定の照射範囲Ｋに向けて紫外線を照射するマップランプ装置６０と、前記照射範囲Ｋ内に互いに離れて設けられた、前記紫外線を照射されることによって発光するように形成された発光意匠（即ち、（１）メータ指標１１ｃ〜１４ｃ、（２）ナビゲーション装飾意匠２１ａ及びナビゲーション機能表示意匠２３ａ（３）エアコン機能表示意匠３１ａ〜３５ａ、（４）パワーウィンドウ機能表示意匠４１ａ〜４５ａ（５）コンソール装飾意匠５３）を有する、複数の意匠部（即ち、コンビネーションメータ１０、ナビゲーション装置２０、エアコン操作部３０、パワーウィンドウスイッチ部４０、及び、小物載置部５０）と、を備えているので、マップランプ装置６０が所定の照射範囲Ｋに向けて紫外線を照射すると、該照射範囲Ｋ内に設けられた上記複数の意匠部の発光意匠が該紫外線で照らされて発光し、そのため、複数の意匠部ごとに光源を設けることなく、複数の意匠部の発光意匠を１つのマップランプ装置６０によって発光させることができ、光源を少なくすることができる。また、マップランプ装置６０の照射範囲Ｋ内に、上記紫外線が照射されることによって発光する発光意匠を有する意匠部を追加して設けることで、追加した意匠部が有する発光意匠を発光させることができるので、発光する意匠を容易に追加できる。また、天井部Ｃからの紫外線の照射範囲Ｋ内、つまり、天井部Ｃから見通せる範囲に意匠部が設けられているので、障害物などによって意匠部に対する紫外線の照射が妨げられることを防ぐことができる。また、発光意匠が紫外線によって発光するので、乗員が眩しく感じる程の高輝度で発光することが無く、そのため、乗員の不快感を防ぐことができる。また、天井部Ｃから紫外線を照射するので、乗員の目に対して直接紫外線が照射されることを防ぐことができる。
【００３６】
また、マップランプ装置６０が、紫外線の照射強度を調節する調光機能としての輝度調節スイッチ６７、６８を備えているので、自動車１の室内２に設けられた複数の意匠部の発光意匠に対して一括して輝度調節をすることができ、そのため、複数の意匠部毎に個別に発光意匠の輝度調節を行う必要が無くなり、輝度調節が容易にできる。
【００３７】
上述した本実施形態においては、紫外線光源としてのマップランプ装置６０が天井部Ｃから直接的に照射範囲Ｋ（即ち、各意匠部）に向けて紫外線を照射するものであったが、これに限定されるものではなく、例えば、インパネ３又はセンターコンソール５などに、天井部Ｃに向けて紫外線を照射する紫外線光源を設けて、該紫外線光源が照射する紫外線を天井部Ｃで反射させて、間接的に照射範囲Ｋに向けて紫外線を照射するものであっても良い。
【００３８】
また、本実施形態においては、マップランプ装置６０の紫外線発光部６５が、自動車１の前照灯等の点灯に連動して紫外線を照射するものであったが、これに限定されるものではなく、例えば、図１２に示すように、マップランプ装置６０に紫外線ＯＮ／ＯＦＦスイッチ６９を設けて、この紫外線ＯＮ／ＯＦＦスイッチ６９の操作に応じて、紫外線発光部６５が紫外線を照射するようにしても良い。但し、この場合、上述したコンビネーションメータ１０が有する各メータ指標１１ｃ〜１４ｃ用の別光源を設けて、これらメータ指標１１ｃ〜１４ｃが自動車１の前照灯等の点灯に連動して発光するようにする必要がある。
【００３９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４０】
１    自動車（車両）
２    室内
３    インスツルメントパネル
４    ドア内装パネル
５    センターコンソール
６    天井内装パネル
１０  コンビネーションメータ（意匠部）
１１ｃ〜１４ｃ    メータ指標（発光意匠）
２０  ナビゲーション装置（意匠部）
２１ａ    ナビゲーション装飾意匠（発光意匠）
２３ａ    ナビゲーション機能表示意匠（発光意匠）
３０  エアコン操作部（意匠部）
３１ａ〜３５ａ    エアコン機能表示意匠（発光意匠）
４０    パワーウィンドウスイッチ部（意匠部）
４１ａ〜４５ａ    パワーウィンドウ機能表示意匠（発光意匠）
５０    小物載置部（意匠部）
５３    コンソール装飾意匠（発光意匠）
６０    マップランプ装置（紫外線光源）
６７、６８    輝度調節スイッチ（調光機能）
【図１】
0005451425.tif 000002
【図２】
0005451425.tif 000003
【図３】
0005451425.tif 000004
【図４】
0005451425.tif 000005
【図５】
0005451425.tif 000006
【図６】
0005451425.tif 000007
【図７】
0005451425.tif 000008
【図８】
0005451425.tif 000009
【図９】
0005451425.tif 000010
【図１０】
0005451425.tif 000011
【図１１】
0005451425.tif 000012
【図１２】
0005451425.tif 000013